(57)【要約】  特定の光ディスクフォーマットに準拠して光ディスクを再生することを、可能とする方法および装置。光ディスクを再生する際、光ディスクフォーマット間の違いにより生じる互換性の問題を解決するという目的の下、この方法は、光ディスク内に存在する、再生されるコンテンツのメタデータと、ナビゲーション情報とを取得し、取得されたメタデータを、特定フォーマットに対応するメタデータに変換する。その後、光ディスク再生装置が、特定の光ディスクフォーマットに準拠して光ディスクを再生できるようになるよう、取得されたナビゲーション情報と、上記の変換により得られた特定フォーマットに対応するメタデータとに基づいて、その特定の光ディスクフォーマットの要求に対応するナビゲーション情報が生成される。
2008512811.tif 000002
【特許請求の範囲】
【請求項１】
特定フォーマットの光ディスク論理フォーマットに準拠して光ディスクを再生することを可能とする方法であって、
ａ）再生されるコンテンツのメタデータを含む情報を、前記光ディスク上から取得する工程と、
ｂ）取得された前記メタデータを、前記特定フォーマットに対応するメタデータに変換する工程と、
ｃ）前記特定フォーマットに準拠した前記光ディスクの再生を可能とするように、前記特定フォーマットに対応する前記メタデータに基づいて、前記特定フォーマットに対応するナビゲーション情報を生成する工程とを含むことを特徴とする方法。
【請求項２】
前記工程ａ）で取得される前記情報がさらに、前記光ディスク上のナビゲーション情報を含んでおり、
前記工程ｃ）において、前記特定フォーマットに対応する前記ナビゲーション情報が、前記特定フォーマットに対応する前記メタデータと、前記光ディスクから取得された前記ナビゲーション情報とに基づいて生成されることを特徴とする請求項１記載の方法。
【請求項３】
前記光ディスク上に記憶された前記ナビゲーション情報が、ディレクトリファイル情報、シーケンスファイル再生情報、またはファイル検索情報の、少なくとも１つを含んでいることを特徴とする請求項２記載の方法。
【請求項４】
前記メタデータが、符号化フォーマット、再生時間、ビットレート、または同期情報の、少なくとも１つを含んでいることを特徴とする請求項１または２記載の方法。
【請求項５】
前記特定フォーマットが、ジェネリックディスクを含んでいることを特徴とする請求項１または２記載の方法。
【請求項６】
前記工程ｃ）において、前記特定フォーマットに対応する前記ナビゲーション情報が、ＸＭＬ再生制御ファイルを含んでいることを特徴とする請求項１または２記載の方法。
【請求項７】
特定フォーマットの光ディスク論理フォーマットに準拠して光ディスクを再生することを可能とする装置であって、
再生されるコンテンツのメタデータを含む情報を、前記光ディスク上から取得する取得手段と、
取得された前記メタデータを、前記特定フォーマットに対応するメタデータに変換する変換手段と、
前記特定フォーマットに準拠した前記光ディスクの再生を可能とするように、前記特定フォーマットに対応する前記メタデータに基づいて、前記特定フォーマットに対応するナビゲーション情報を生成する生成手段とを含むことを特徴とする装置。
【請求項８】
前記取得手段により取得される前記情報がさらに、前記光ディスク上のナビゲーション情報を含んでおり、
前記特定フォーマットに対応する前記ナビゲーション情報が、前記特定フォーマットに対応する前記メタデータと、前記光ディスクから取得された前記ナビゲーション情報とに基づいて生成されることを特徴とする請求項７記載の装置。
【請求項９】
前記光ディスク上に記憶された前記ナビゲーション情報が、ディレクトリファイル情報、シーケンスファイル再生情報、およびファイル検索情報の、少なくとも１つを含んでいることを特徴とする請求項７記載の装置。
【請求項１０】
前記メタデータが、符号化フォーマット、再生時間、ビットレート、および同期情報の、少なくとも１つを含んでいることを特徴とする請求項７または８記載の装置。
【請求項１１】
前記特定フォーマットの光ディスク論理フォーマットが、ジェネリックディスクを含んでいることを特徴とする請求項７または８記載の装置。
【請求項１２】
光ディスクから情報を読み出す光ディスク読出装置と、特定フォーマットの論理フォーマットに準拠して前記光ディスクを再生することを可能とする装置とを含む、光ディスク再生装置であって、
前記光ディスクを再生することを可能とする前記装置が、
前記光ディスク読出装置により前記光ディスクから読み出された前記情報に基づいて、再生されるコンテンツのメタデータを含む対応の情報を、取得する取得手段と、
取得された前記メタデータを、前記特定フォーマットに対応するメタデータに変換する変換手段と、
前記特定フォーマットに準拠した前記光ディスクの再生を可能とするように、前記特定フォーマットに対応する前記メタデータに基づいて、前記特定フォーマットに対応するナビゲーション情報を生成する生成手段とを含んでいることを特徴とする光ディスク再生装置。
【請求項１３】
前記取得手段により取得される前記情報がさらに、前記光ディスク上のナビゲーション情報を含んでおり、
前記特定フォーマットに対応する前記ナビゲーション情報が、前記特定フォーマットに対応する前記メタデータと、前記光ディスクから取得された前記ナビゲーション情報とに基づいて生成されることを特徴とする請求項１２記載の光ディスク再生装置。
【請求項１４】
前記特定フォーマットに対応する前記ナビゲーション情報が、ＸＭＬ再生制御ファイルを含んでいることを特徴とする請求項１２または１３記載の光ディスク再生装置。
【請求項１５】
前記特定フォーマットが、ジェネリックディスクを含んでいることを特徴とする請求項１２または１３記載の光ディスク再生装置。
【発明の詳細な説明】
【技術分野】
【０００１】
本発明は、光記憶の分野に関するものであり、特に、特定の論理フォーマットに準拠して光ディスクを再生することを可能とする方法に関するものである。本発明はまた、かかる方法を実行する装置にも関するものである。
【背景技術】
【０００２】
急速に発展する光記憶の分野においては、多くの光ディスク物理フォーマット（たとえばＣＤ、ＶＣＤ、ＤＶＤ、ブルーレイフォーマット等）、および光ディスク論理フォーマット（たとえばＣＤ−オーディオ、ピクチャＣＤ、ＶＣＤ、ＳＶＣＤならびにＤＶＤフォーマット等）が出現してきている。各光ディスクフォーマットは、対応の複雑な標準の組合せに基づいている。
【０００３】
物理フォーマットまたは論理フォーマットの違いのため、光ディスクプレーヤーは、ある光ディスクを再生することができない場合がある。際限のない新規な光ディスクフォーマットの出現により生じる、フォーマットの互換性の問題は、ますます深刻になっている。新規な光ディスクフォーマットの開発の流れについていくためには、光ディスクや光ディスクプレーヤーの製造業者、光ディスクコンテンツのプロバイダ、および消費者は、頻繁に装置を新しくしなくてはならないが、そのような新たな投資は、資源の無駄を招く。
【０００４】
光ディスクフォーマットの互換性の問題を解決する１つの従来型の方法は、異なる光ディスクフォーマットに対応するアプリケーションモジュールを重畳して、それらを１つの光ディスク再生装置内にインストールし、対応の各光ディスクフォーマットの再生条件が満たされるようにする方法である。モジュールを機械的に重畳するこの方法は、再生システムの構造を複雑かつ嵩張るものとしてしまう一方、複数のアプリケーションモジュールは、互いに有利に結合はせず、単なるかき集めとなってしまう（これは混乱をきたすかもしれない）。ある特定フォーマットを有する光ディスクを再生している間、使われていないアプリケーションモジュールの割合は、比較的高い。
【発明の開示】
【発明が解決しようとする課題】
【０００５】
したがって、ある特定の論理フォーマットでの光ディスクの再生を可能とする方法および装置であって、かつ、特定の論理フォーマットを有さない光ディスクの再生にも適した方法および装置を提供することが必要である。
【０００６】
本発明の１つの目的は、従来技術の欠点を克服するように、特定の論理フォーマットでの光ディスクの再生を可能とする方法および装置を、提供することである。
【課題を解決するための手段】
【０００７】
本発明の１つの実施形態によれば、特定フォーマットの論理フォーマットで光ディスクを再生することを可能とする方法は、ａ）再生されるコンテンツのメタデータを含む情報を、光ディスク上から取得する工程と、ｂ）その取得されたメタデータを、上記の特定フォーマットに対応するメタデータに変換する工程と、ｃ）特定フォーマットに準拠した光ディスクの再生を可能とするように、上記の特定フォーマットに対応するメタデータに基づいて、その特定フォーマットに対応するナビゲーション情報を生成する工程とを含む方法とされる。上記の工程ａ）で光ディスク上から取得される情報も、ナビゲーション情報を含むものとされてもよく、その場合、上記の工程ｃ）において、特定フォーマットに対応するナビゲーション情報は、特定フォーマットに対応する上記のメタデータと、光ディスクから取得された上記のナビゲーション情報とに基づいて生成される。
【０００８】
本発明の別の１つの実施形態によれば、特定フォーマットの論理フォーマットに準拠して光ディスクを再生することを可能とする装置は、再生されるコンテンツのメタデータを含む情報を、光ディスク上から取得する取得手段と、その取得されたメタデータを、上記の特定フォーマットに対応するメタデータに変換する変換手段と、特定フォーマットに準拠した光ディスクの再生を可能とするように、上記の特定フォーマットに対応するメタデータに基づいて、その特定フォーマットに対応するナビゲーション情報を生成する生成手段とを含む装置とされる。上記の取得手段により取得される情報はさらに、光ディスク上のナビゲーション情報を含んでいてもよく、その場合、上記の特定フォーマットに対応するナビゲーション情報は、その特定フォーマットに対応する上記のメタデータと、光ディスクから取得された上記のナビゲーション情報とに基づいて生成される。
【０００９】
本発明の１つの実施形態によれば、光ディスク再生装置がさらに提供される。この光ディスク再生装置は、光ディスクから情報を読み出す光ディスク読出装置と、特定フォーマットの論理フォーマットに準拠してその光ディスクを再生することを可能とする装置とを含む。特定の光ディスク論理フォーマットに準拠してその光ディスクを再生することを可能とする装置は、光ディスク読出装置により光ディスクから読み出された情報から、再生されるコンテンツのメタデータを含む対応の情報を、取得するのに用いられる取得手段と、その取得されたメタデータを、上記の特定フォーマットに対応するメタデータに変換する変換手段と、特定フォーマットに準拠した光ディスクの再生を可能とするように、上記の特定フォーマットに対応するメタデータに基づいて、その特定フォーマットに対応するナビゲーション情報を生成する生成手段とを含むものとされる。上記の取得手段により取得される情報はさらに、光ディスク上のナビゲーション情報を含んでいてもよく、その場合、上記の特定フォーマットに対応するナビゲーション情報は、その特定フォーマットに対応する上記のメタデータと、光ディスクから取得された上記のナビゲーション情報とに基づいて生成される。
【００１０】
本発明により提供される、特定の論理フォーマットに準拠して光ディスクを再生することを可能とする装置および方法を介して、光ディスク上の再生コンテンツのメタデータおよびナビゲーション情報が、特定フォーマットに対応するナビゲーション情報に変換される。これにより、特定フォーマットでない光ディスクについて、その特定フォーマットに準拠した再生を行うことが可能となる。
【００１１】
本発明のさらなる目的および成果は、図面を参照しながらの以下の本発明の説明および特許請求の範囲により明らかとされ、本発明の全体的な理解が得られるであろう。
【発明を実施するための最良の形態】
【００１２】
以下、図面を参照しながら、本発明の実施形態をさらに詳細に説明する。すべての図中において、同一の参照番号で示されたものは、同一、類似または対応の特徴または機能を有している。
【００１３】
本発明の概念は、以下のとおりである。異なる光ディスクフォーマットは、再生されるコンテンツのメタデータとナビゲーション情報とを記述する、異なる記述モードを有している。ある特定フォーマットを有さない光ディスクが、その特定フォーマットで再生できるよう保障するためには、そのディスク内の、再生されるコンテンツのメタデータとナビゲーション情報とを、上記の特定フォーマットに対応する、対応のメタデータとナビゲーション情報とに変換する必要がある。かかる特定フォーマットに対応するメタデータおよびナビゲーション情報に基づいて、光ディスクを、その特定フォーマットで再生することが可能になる。
【００１４】
ジェネリックディスクフォーマット（Ｇｅｎｅｒｉｃ  Ｄｉｓｃ  ｆｏｒｍａｔ）を有さない光ディスクを、どのようにしてジェネリックディスクフォーマットで再生することができるかという一例が、以下、説明される。ジェネリックディスク（Ｇｅｎｅｒｉｃ  Ｄｉｓｃ）は、コーニンクレッカ フィリップス エレクトロニクス Ｎ．Ｖ．により、２００２年１２月１２日出願の、「ジェネリック論理フォーマットを有する光ディスク」と題された中国特許出願第０２１５６１４１．９号（公開番号第１５０６９４９号）で提案された、光ディスクフォーマットである。この光ディスク論理フォーマットは、物理フォーマットからは独立である。（インデックスドキュメントのような）ジェネリックディスクフォーマットファイルは、光ディスク再生装置に対して再生される光ディスクのコンテンツを説明するために、光ディスク上において、対応する再生されるコンテンツのメタデータを含む。これは、再生される各コンテンツの要求に従うが、光ディスクの物理フォーマットには依存しない再生を、光ディスクプレーヤーが行うことを可能にする。ジェネリック論理フォーマットを用いる光ディスク再生装置は、ジェネリック論理フォーマットを有するアプリケーションファイルの再生をサポートすることができ、Ｊａｖａビジュアルマシンの動作をサポートする再生プラットホームを提供して、ジェネリック論理フォーマットでの光ディスクの再生に使用されることができる。
【００１５】
図１は、本発明の１つの実施形態に係る、ある特定の論理フォーマットでの光ディスクの再生を可能とする方法の、フローチャートである。ある特定フォーマット（たとえばジェネリック論理フォーマット）をサポートしている再生装置は、まず、光ディスクのフォーマットが、ある特定の論理フォーマットであるか否かを判定する（ステップ１１０）。一般的には、光ディスクのフォーマット標準に従って、ディスクフォーマットを記述する対応の情報が常に存在する。たとえば、ＣＤＲＯＭでは、再生装置は、リードイン領域のファイルシステム内に記憶された相対情報を読むことにより、ディスクのカテゴリを特定する。光ディスク再生装置は、光ディスクフォーマットを判定することにより、その光ディスクのコンテンツを、ある特定フォーマットで直接再生することができるか否かを特定することができる。
【００１６】
光ディスクのフォーマットが（ジェネリックディスクのような）特定フォーマットでない場合、すなわち再生装置が従来型の再生方法ではその光ディスクのコンテンツを再生できない場合には、再生装置は、光ディスク上に記憶された情報を取り出す（ステップＳ１２０）。この情報取出しにより、再生装置は、ディスク上に記憶された、再生されるコンテンツのメタデータやナビゲーション情報等を取得し得る。この例としては、光ディスク上の情報の保存ディレクトリ、光ディスク内に存在する再生されるコンテンツのリスト、いくらかのメタデータ等が挙げられる。
【００１７】
続いて、再生装置は、取り出した情報から、ナビゲーション情報と、再生されるコンテンツのメタデータとを取得する（ステップＳ１３０）。光ディスク上のナビゲーション情報は、ディレクトリファイル、光ディスク再生シーケンスファイル、光ディスク検索ファイル等を含んでいる。この情報は、光ディスクを再生するための重要なナビゲーション機能を有している。さらに通常、光ディスクの製造中において、再生されるコンテンツの再生条件や記憶特性等に関する情報を反映した、いくらかのメタデータが存在する。これらのメタデータは、符号化フォーマット、解像度、再生開始時刻、再生終了時刻、平均ビットレート、同期情報、再生シーケンス等を含み、さらに復号情報（たとえば復号モード、復号用のアプリケーションプログラム、アプリケーションプログラムのカテゴリ等）も含む。
【００１８】
ステップＳ１３０において、この取得されるべき情報は、ある特定フォーマットで光ディスクを再生するために必要な情報を含んでおり、たとえば符号化フォーマット、同期情報、再生シーケンス等を含んでいる。
【００１９】
続いて、再生装置は、特定の光ディスクフォーマット（たとえばジェネリック論理フォーマット）の標準条件に従って、再生されるコンテンツの取得されたメタデータを、その特定フォーマットに対応するメタデータに変換する（ステップＳ１４０）。種々の異なる光ディスクフォーマットでは、再生されるプログラムのメタデータは異なるモードを有するため、特定フォーマットに対応しないメタデータは、その特定フォーマットを有さない光ディスクがその特定フォーマットで再生可能となるように、その特定フォーマットに対応するメタデータに変換されるべきである。メタデータの変換は、特徴情報のモードまたは再生されるプログラムの再生条件の変換であってもよい。たとえば、ＳＶＣＤ（Ｓｕｐｅｒ  ＶＣＤ）フォーマットの光ディスクでは、再生されるコンテンツのメタデータは、ＳＶＣＤフォーマットに準拠するように記述されている。この光ディスクがジェネリック論理フォーマットで再生されるべき場合には、光ディスク内のすべてのメタデータが、ジェネリック論理フォーマットを有する再生制御ファイル（ＸＭＬファイル、すなわち拡張マークアップ言語ファイル（Ｅｘｔｅｎｓｉｖｅ  Ｍａｒｋｕｐ  Ｌａｎｇｕａｇｅ  ｆｉｌｅ））により要求されるモードに準拠して記述されるように、変換されなくてはならない。
【００２０】
続いて、変換により得られた特定フォーマットに対応するメタデータと、光ディスクから取得されたナビゲーション情報とに基づいて、その特定フォーマットに対応するナビゲーション情報が生成される（ステップＳ１５０）。ナビゲーション情報は、プログラムの再生手順を制御し、各プログラムの再生時間や位置関係等を制御する。プログラムの再生処理中、再生制御ファイルは、プログラムのメタデータに従って、対応のプログラムを呼び出す必要がある。異なる光ディスクフォーマットは再生制御情報の異なる記述を有しているので、ある特定フォーマットでの光ディスクの再生を可能とするためには、それに応じて、光ディスクフォーマットが、その特定フォーマットに対応するナビゲーション情報と合致しなくてはならない。ナビゲーション情報は、一般的に、再生制御ファイルを含んでいる。たとえば、ジェネリック論理フォーマットの環境下では、ナビゲーション情報は、ジェネリック論理フォーマットに準拠するＸＭＬファイルを含む。
【００２１】
特定フォーマットに準拠する再生制御ファイルは、以下の方法によって生成することができる。特定の光ディスクフォーマットに対応する再生制御ファイルのテンプレートが、再生装置内に予め記憶されていてもよい。変換処理中において、光ディスクから取得された再生情報と、特定フォーマットに対応する変換されたメタデータとが、特性や特徴等に従って、再生装置により、特定フォーマットに対応する再生制御ファイルの予め記憶されたテンプレート内に入れ込まれ、再生制御ファイルが生成されてもよい。明らかなことであるが、他の変換方法が採用されてもよい。たとえば、特定の光ディスクフォーマットの標準および条件、使用される言語の標準条件、および取得される情報の特性等に基づいて、光ディスクから取得された情報と、特定フォーマットに対応する変換されたメタデータとから、特定フォーマットに対応するナビゲーション情報が生成される。
【００２２】
特定のフォーマット、および時間と位置との所与の関係に従って、再生されるコンテンツを再生することが可能となるように、ジェネリック論理フォーマットを有するＸＭＬ再生制御ファイル内には、光ディスクから取得されるオリジナルのナビゲーション情報と、再生されるコンテンツのメタデータとが、ジェネリック論理フォーマットの標準条件と、再生手順の条件（時間と位置との間の関係）とに応じて、配置される。
【００２３】
最後に、特定フォーマットに準拠する、生成されたナビゲーション情報に従って、光ディスクが再生される（ステップＳ１６０）。特定フォーマットに準拠していない光ディスク内にある、再生されるコンテンツは、すでに、特定フォーマットに準拠するファイルの生成およびメタデータの変換を通じて、光ディスク再生装置により受け入れられているので、その光ディスク再生装置によって再生されることができる。
【００２４】
ディスク上にある再生されるコンテンツが比較的小さい場合、たとえば単一のコンテンツのみが再生されるべき場合には、再生装置は、再生されるコンテンツのメタデータ（変換後において特定フォーマットに対応する）のみに基づいて、特定フォーマットに準拠する再生制御ファイルを生成し得る。一般的に、光ディスク内に多くのプログラムがある場合には、光ディスク再生制御ファイルは、再生されるコンテンツのメタデータ（変換後において特定フォーマットに対応する）だけではなく、光ディスクから取得されたナビゲーション情報にも基づいて生成される。
【００２５】
図２は、本発明の１つの実施形態に係る、光ディスク再生システムの模式図である。この実施形態は、ジェネリック論理フォーマットの光ディスクをサポートする再生装置が、どのようにしてジェネリック論理フォーマットを有さない光ディスクを再生するのかという一例を用いて説明される。図２に示されているように、光ディスク２１０は、ジェネリック論理フォーマットを有さない光ディスクであり、たとえば現在市場で入手できるようなＣＤフォーマット、ＤＶＤフォーマットその他のフォーマットの光ディスクであってもよい。
【００２６】
他の光ディスクと同様に、光ディスク２１０は、光ディスクフォーマット情報や光ディスクディレクトリ情報等といった、記憶されているコンテンツに関するいくらかの複合メタデータを担持している。光ディスク２１０は、再生されるコンテンツおよびそのメタデータを記憶しており、このメタデータの例としては、コンテンツの符号化フォーマット、解像度、再生開始時刻、再生終了時刻、平均ビットレート等が挙げられる。しかしながら、ジェネリックディスクが必要とするような、再生されるコンテンツのメタデータおよびナビゲーション情報ファイルは、光ディスク２１０内には存在しない。そのため、光ディスク２１０は、既存の再生装置によっては、ジェネリック論理フォーマットを用いて再生することはできない。
【００２７】
再生装置２２０は、本発明に従う光ディスク再生装置である。装置２２０は、一般の特定フォーマット（この例ではジェネリック論理フォーマット）を有する光ディスクの再生に用いられる再生プラットホーム２３０をサポートすることができる、Ｊａｖａビジュアルマシンを含んでおり、このプラットホーム上で対応の動作を行うことができる。ジェネリック論理フォーマットを有する既存の再生装置と比較すると、装置２２０はさらに、光ディスクが特定フォーマットで再生されることを可能にする装置も含んでいる。以下、この装置を、フォーマット変換装置２４０と呼ぶ。フォーマット変換装置２４０は、装置２２０が、光ディスク２１０をジェネリックディスクフォーマットで再生することを可能にする。以下、図３を参照しながら、装置２４０の説明を行う。
【００２８】
図３は、本発明の１つの実施形態に係るフォーマット変換装置２４０の概略図である。装置２４０は、光ディスクから情報を取得するための取得手段２４２を含んでいる。この情報は、ナビゲーション情報と、再生されるコンテンツのメタデータとを含み、たとえば光ディスクフォーマット情報、光ディスクディレクトリ情報、再生されるコンテンツの符号化フォーマットおよび光ディスクのシーケンス再生情報、解像度、再生開始時刻、再生終了時刻、平均ビットレート等を含む。取得手段２４２は、これらのメタデータから、特定の光ディスクフォーマットにより必要とされるメタデータを、従来の方法で選択的に取得してもよい。
【００２９】
装置２４０はさらに、取得手段２４２により取得された再生されるコンテンツのメタデータを、ジェネリックディスクフォーマットに対応するメタデータに変換する、変換手段２４４を含む。たとえば、ＳＶＣＤ（Ｓｕｐｅｒ  ＶＣＤ）フォーマットの光ディスク内では、再生されるコンテンツのメタデータは、ＳＶＣＤフォーマットに準拠する方式で記述されている。光ディスクがジェネリックディスクフォーマットで再生されるべき場合には、光ディスク内のすべてのメタデータが、ジェネリック論理フォーマットを有するＸＭＬファイルで必要とされるモードに従って記述されるように、変換されるべきである。
【００３０】
装置２４０はさらに、光ディスクから取得されたナビゲーション情報と、特定フォーマットに対応する変換されたメタデータとに基づいて、その特定フォーマットに対応するナビゲーション情報を生成する、生成手段２４６を含む。たとえば、生成手段２４６は、変換手段２４４により生成された、ＸＭＬファイルの要求に対応する様々なメタデータを合成することにより、ジェネリックディスクに対応するＸＭＬ再生制御ファイルを生成してもよい。特定の光ディスクフォーマットに対応する再生制御ファイルのテンプレートが、再生装置内に予め記憶されていてもよい。変換処理中において、光ディスクから取得されたナビゲーション情報と、特定フォーマットに対応する変換されたメタデータとが、特性や特徴等に従って、再生装置により、特定フォーマットに対応する再生制御ファイルの予め記憶されたテンプレート内に対応させて入れ込まれ、再生制御ファイルが生成されてもよい。
【００３１】
ジェネリック論理フォーマットを有する通常の光ディスク内には、いくつかの再生アプリケーションファイルも存在し、それらの再生アプリケーションファイルは、ジェネリックディスクフォーマットに従う記述ファイルを説明するものであってもよく、光ディスク内のアプリケーションプログラムを円滑に再生するように、対応の復号プログラムを呼び出すものであってもよい。ジェネリックディスクでない光ディスクにはこれらのファイルは記憶されていないので、ジェネリックディスクでない光ディスクを円滑に再生するためには、一般的にジェネリック論理で光ディスク上に記憶されているべき再生アプリケーションファイルを、光ディスク再生装置２２０が記憶している必要がある。必要なアプリケーションファイルは、ジェネリック論理フォーマットで、一般的な再生装置内に記憶されるべきである。
【００３２】
再生装置２２０は、装置２４０による特定フォーマットを用いずに、光ディスク２１０を再生することもできる。
【００３３】
図４は、ＳＶＣＤ（Ｓｕｐｅｒ  ＶＣＤ）フォーマットの光ディスクが、ディスク再生装置によりジェネリック論理フォーマットで再生される様子を示した概略図である。ＳＶＣＤディスク内のファイルディレクトリ情報は、ブロック４１０内に示されており、ここでは、ルートディレクトリが、ＳＶＣＤのナビゲーション情報ディレクトリ、ＭＰＥＧ２符号化方式で記憶されたオーディオビデオファイルディレクトリ、セグメントファイルディレクトリ等を含んでいる。ＳＶＣＤナビゲーション情報ディレクトリはさらに、情報ファイル（ＩＮＦＯ．ＳＶＤ）、エントランスリストファイル（ＥＮＴＲＩＥＳ．ＳＶＤ）、オフセット表ファイル（ＬＯＴ．ＳＶＤ）、再生シーケンス記述ファイル（ＰＳＤ．ＳＶＤ）、検索ファイル（ＳＥＡＲＣＨ．ＤＡＴ）、オーディオビデオトラックファイル（ＴＲＡＣＫ．ＳＶＤ）等を含んでいる。ＭＰＥＧ２符号化方式で記憶されたオーディオビデオファイルディレクトリは、符号化されて記憶されたオーディオビデオファイルコードストリーム情報、具体的にはＳＶＣＤディスク内の再生されるコンテンツを含んでいる。フラグメントファイルディレクトリは、フラグメントファイルの何らかのコードストリーム情報を含んでいる。
【００３４】
ブロック４２０は、ブロック４１０内の情報が、ジェネリック論理フォーマットの要求に対応する情報ファイルに、どのように変換されるかを示している。ＳＶＣＤ光ディスク内のＭＰＥＧ２符号化オーディオビデオファイル１から、デマルチプレクサにより変換された情報は、メタデータファイルボックス４３０と、再生されるコンテンツのコードストリームファイルボックス４４０との中に、それぞれリストアップされている。これには、オーディオビデオファイル１のオーディオストリームメタデータ、オーディオビデオファイル１のビデオストリームメタデータ、オーディオビデオファイル１のオーディオファイル、およびオーディオビデオファイル１のビデオファイルが含まれる。
再生される他のファイルコンテンツおよびメタデータの変換は、ファイル１の変換と同様に実行される。
【００３５】
光ディスク再生装置は、ジェネリックディスクの標準条件に従って、ＳＶＣＤナビゲーション情報ファイルと再生されるコンテンツのメタデータとから、ＸＭＬ再生制御ファイル４５０を生成する。ＸＭＬ再生制御ファイル４５０は、ジェネリック論理フォーマットに対応するＸＭＬテンプレートファイルに、情報特性に応じてメタデータを対応させて加えることによって、生成され得る。この再生制御ファイルでは、再生される個々のプログラムの再生手順が、具体的な時刻と位置との間の関係に応じて規定されている。光ディスク再生装置は、対応のオーディオビデオファイルのメタデータ、およびオーディオビデオファイル等を、このファイルの要求に従って、特定の時刻に呼び出す。
【００３６】
ＳＶＣＤディスク内の情報を変換した後、ジェネリック論理フォーマットをサポートする光ディスク再生装置は、ジェネリックディスクの再生方法に準拠して、このＳＶＣＤディスクを再生することができる。この処理中に形成された、オーディオビデオファイルや再生制御ファイル等といった情報ファイルは、その光ディスクの将来の再生のために、光ディスク再生装置内に記憶されてもよい。
【００３７】
本発明で提供される装置および方法では、光ディスク再生装置（特に、ジェネリック論理フォーマットを用いる再生装置）は、他のフォーマットを有する光ディスクも円滑に再生し得る。
【００３８】
以上、上記の実施形態を参照して本発明を説明してきたが、上記で説明した内容から、多くの代替形態、変更形態およびバリエーションが明らかであることは、当業者には自明である。したがって、すべての代替形態、変更形態およびバリエーションは、本発明の精神および特許請求の範囲による技術的範囲内にある。
【図面の簡単な説明】
【００３９】
【図１】本発明の１つの実施形態に係る、ある特定の論理フォーマットでの光ディスクの再生を可能とする方法のフローチャート
【図２】本発明の１つの実施形態に係る、光ディスク再生システムの模式図
【図３】図２に示した実施形態に係る、フォーマット変換の概略図
【図４】ジェネリック論理フォーマット（ＧＤ）の光ディスク再生用の再生装置が、ＳＶＣＤ（Ｓｕｐｅｒ  ＶＣＤ）フォーマットの光ディスクを、どのように再生するかを示した概略図
【図１】
2008512811.tif 000003
【図２】
2008512811.tif 000004
【図３】
2008512811.tif 000005
【図４】
2008512811.tif 000006
【国際調査報告】
2008512811.tif 000007
2008512811.tif 000008
2008512811.tif 000009